(57)【要約】      （修正有）【課題】初心者でもシングルリード楽器から音を出し易くすることが可能なリード取付構造および楽器部品を提供する。【解決手段】リガチャー４とリード３との間に楽器部品１０を介在させてシングルリード楽器のマウスピース２にリード３が取り付けられているリード取付構造において、楽器部品１０を、直交する二辺のそれぞれの長さが２５ｍｍ〜４０ｍｍの四角形で、板厚が０．３ｍｍ〜０．５ｍｍのステンレス鋼板で構成し、リード３に沿って円弧状に湾曲させる。リガチャーを締め付けると、楽器部品によりリードをマウスピースに対して均一に押し付けることができる。リードが安定するため、使用者がシングルリード楽器を吹く時の口の形など（アンブシュア）が不完全であっても、ある程度の意図したような音を出すことができる。【選択図】図２
0003225891.tif 000002
【実用新案登録請求の範囲】
【請求項１】
リガチャーとリードとの間に楽器部品を介在させてシングルリード楽器のマウスピースに前記リードが取り付けられているリード取付構造であって、
前記楽器部品は、
直交する二辺のそれぞれの長さが２５ｍｍ〜４０ｍｍの四角形で、板厚が０．３ｍｍ〜０．５ｍｍのステンレス鋼板からなり、前記リードに沿って円弧状に湾曲している
ことを特徴とするリード取付構造。
【請求項２】
請求項１に記載のリード取付構造に使用される楽器部品であって、
直交する二辺のそれぞれの長さが２５ｍｍ〜４０ｍｍの四角形で、板厚が０．３ｍｍ〜０．５ｍｍのステンレス鋼板からなり、円弧状に湾曲している
ことを特徴とする楽器部品。
【考案の詳細な説明】
【技術分野】
【０００１】
本考案は、シングルリード楽器のマウスピースにリードを取り付けるためのリード取付構造および楽器部品に関するものである。
【背景技術】
【０００２】
サクソフォンやクラリネットのようなシングルリード楽器では、音を出すための一つのリードがリガチャーによってマウスピースに取り付けられている。シングルリード楽器における音の出し易さや音色などは、マウスピースやリードの違いにより大きく左右されることが知られており、更には、リガチャーの違いによっても左右されることが知られている。
【０００３】
リガチャーは、マウスピースの外周に巻き付けたベルトを、ネジを回すことにより締め付ける形態のものである。そして、マウスピースの外周面に当接させたリードを、マウスピースと一緒にリガチャーによって締め付けることにより、リードがマウスピースに取り付けられている。
【０００４】
そして、リガチャーは、真鍮のような比較的柔らかい素材で形成されているため、ベルトの形状やベルトに対するネジの位置などの違いにより、ネジを締め付けた時にリードにおけるマウスピースに押し付けられる部位が区々となる。このようなことから、リガチャーの違いにより、音の出し易さや音色の感じなどが異なるものとなり、音が出し易いと詠われているリガチャーが市販されている。
【０００５】
しかしながら、音が出し易いと詠われているようなリガチャーは、比較的高価であり、気軽に購入できるものではなかった。また、初心者が高価なリガチャーを使用しても、音を出し易くなるとは限らなかった。
【考案の概要】
【考案が解決しようとする課題】
【０００６】
そこで、本考案は、上記の実情に鑑み、初心者でもシングルリード楽器から音を出し易くすることが可能なリード取付構造および楽器部品の提供を課題とするものである。
【課題を解決するための手段】
【０００７】
上記の課題を解決するために、本考案のリード取付構造は、
「リガチャーとリードとの間に楽器部品を介在させてシングルリード楽器のマウスピースに前記リードが取り付けられているリード取付構造であって、
前記楽器部品は、
直交する二辺のそれぞれの長さが２５ｍｍ〜４０ｍｍの四角形で、板厚が０．３ｍｍ〜０．５ｍｍのステンレス鋼板からなり、前記リードに沿って円弧状に湾曲している」ものである。
【０００８】
ところで、従来の技術は、リガチャーの改良に重点を置いたものばかりであった。これに対して、本考案者は、誠意研究を重ねた結果、リガチャーとリードとの間に楽器部品を介在させることで、音が出し易くなることを知見し、本考案の構成に至ることとなった。
【０００９】
本構成によれば、リガチャーとリードとの間にステンレス鋼板からなる楽器部品を介在させているため、リガチャーを締め付けると、楽器部品によりリードをマウスピースに対して均一に押し付けることができる。これにより、リードが安定するため、使用者がシングルリード楽器を吹く時の口の形など（アンブシュア）が不完全であっても、ある程度の意図したような音を出すことができると共に、アンブシュアだけでなく呼気を効率よく音にすることができ、初心者でもシングルリード楽器から音を出し易くすることができる。
【００１０】
次に、本考案の楽器部品は、
「上記のリード取付構造に使用される楽器部品であって、
直交する二辺のそれぞれの長さが２５ｍｍ〜４０ｍｍの四角形で、板厚が０．３ｍｍ〜０．５ｍｍのステンレス鋼板からなり、円弧状に湾曲している」ものである。
【００１１】
本構成の楽器部品は、シングルリード楽器のマウスピースにリードを取り付けているリガチャーとリードとの間に介在させて使用するものである。この構成の楽器部品を使用して上記構成のリード取付構造を構築することにより、上記の作用効果が発揮される。
【考案の効果】
【００１２】
以上のように、本考案によれば、初心者でもシングルリード楽器から音を出し易くすることが可能なリード取付構造および楽器部品を提供することができる。
【図面の簡単な説明】
【００１３】
【図１】本考案の一実施形態である楽器部品をマウスピースに取り付けてリード取付構造を構築した状態で示すシングルリード楽器の斜視図である。
【図２】図１におけるマウスピースの部位のみを示す斜視図である。
【図３】図２における要部を概略で示す断面図である。
【図４】楽器部品の斜視図である。
【考案を実施するための形態】
【００１４】
以下、本考案の具体的な実施形態である楽器部品１０について、図面を参照して説明する。図１では、シングルリード楽器１としてアルトサクソフォンを示している。また、図２乃至図４では、上下を図１とは逆にして示している。シングルリード楽器１のマウスピース２には、音を出すための一枚のリード３がリガチャー４によって取り付けられている。リガチャー４とリード３との間には、楽器部品１０が挟まれている。
【００１５】
楽器部品１０は、四角形の板材を円弧状に湾曲させたものである。詳述すると、楽器部品１０は、外形が正方形で四隅にＲ面取りが加工されている平板状のステンレス鋼板を、湾曲させたものである。湾曲の曲率は、後述するリード３におけるヒール部３ａの表面の曲率と同じである。
【００１６】
楽器部品１０の大きさは、マウスピース２やリード３のサイズに対応したものであれば良く、一辺の長さが２５ｍｍ〜４０ｍｍの範囲内とすることができる。この範囲内に限定する理由は、一辺が２５ｍｍよりも短いと、リード３を十分に押し付けることができなくなる恐れがあるためである。また、一辺が４０ｍｍよりも長いと、楽器部品１０が無駄に大きくなりすぎるためである。
【００１７】
楽器部品１０の板厚は、０．３ｍｍ〜０．５ｍｍの範囲内とすることができる。この範囲内に限定する理由は、板厚が０．３ｍｍよりも薄いと、加工が難しくなって楽器部品１０にかかるコストが増加すると共に、曲がり易くなることで楽器部品１０による作用効果を十分に発揮することができなくなる恐れがあるためである。また、板厚が０．５ｍｍよりも厚いと、楽器部品１０による作用効果の向上がこれ以上は望めないためである。なお、板厚を０．４ｍｍ〜０．５ｍｍの範囲内にすると、加工が容易でありコストを低減させることができる。
【００１８】
本実施形態の楽器部品１０は、平らなステンレス鋼板を、打抜加工やレーザー加工により外形を形成した後に、プレス加工により湾曲させて製造されている。本実施形態の楽器部品１０は、直交する二辺のそれぞれの長さが３０ｍｍ×３０ｍｍであり、厚さが０．３ｍｍであり、四隅のＲは５ｍｍである。また、ＳＵＳ３０４のステンレス鋼板を使用している。
【００１９】
シングルリード楽器１のマウスピース２は、円筒状に形成されており外周面の一部に平坦な当接部２ａを有している。マウスピース２は、エボナイト、合成樹脂、金属、などにより形成されている。
【００２０】
リード３は、帯板状に形成されており、長手方向へ一定の断面形状で延びているヒール部３ａと、ヒール部３ａから先端へ向かって薄くなっているカット部３ｂと、を有している。リード３は、一方の面（裏面）が平坦な同一面に形成されているのに対して、他方の面（表面）がヒール部３ａとカット部３ｂとで異なっている。ヒール部３ａの表面は、幅方向の中央が円弧状に膨出した湾曲面に形成されている。リード３は、クルミ、葦（ケーン）、竹、合成樹脂（レジェール）、複合材、などにより形成されている。
【００２１】
リガチャー４は、環状に曲げられている帯板状のベルト４ａと、ベルト４ａの一方の端部に設けられている筒状の筒部４ｂと、ベルト４ａの他方の端部に設けられており雌ネジが貫通しているナット部４ｃと、筒部４ｂを通してナット部４ｃにねじ込まれているネジ４ｄと、を有している。リガチャー４は、ネジ４ｄを回転させる方向によって、環状のベルト４ａの直径を大きくしたり小さくしたりすることができる。リガチャー４は、真鍮により形成されている。
【００２２】
次に、本実施形態の楽器部品１０の使用方法について説明する。まず、リガチャー４の環状のベルト４ａにマウスピース２を挿入する。続いて、マウスピース２の当接部２ａに、リード３のヒール部３ａの裏面が当接するように、マウスピース２とリガチャー４との間にリード３を挿入し、ヒール部３ａを当接部２ａに当接させる。
【００２３】
そして、ヒール部３ａとリガチャー４との間に楽器部品１０を挿入し、当接部２ａ、ヒール部３ａ、楽器部品１０、およびベルト４ａが重なった状態にする。この状態で、リガチャー４のネジ４ｄを回してベルト４ａを締め付けることにより、マウスピース２にリード３と一緒に楽器部品１０が取り付けられた状態となる。これにより、リード取付構造が構築される。
【００２４】
本実施形態によれば、リガチャー４とリード３との間にステンレス鋼板からなる楽器部品１０を介在させているため、リガチャー４のベルト４ａを締め付けると、楽器部品１０によりリード３のヒール部３ａをマウスピース２の当接部２ａに対して均一に押し付けることができる。これにより、リード３のヒール部３ａが安定するため、使用者がシングルリード楽器１を吹く時の口の形など（アンブシュア）が不完全であっても、ある程度の意図したような音を出すことができると共に、アンブシュアだけでなく呼気を効率よく音にすることができ、初心者でもシングルリード楽器１の音を出し易くすることができる。
【００２５】
また、本実施形態によれば、楽器部品１０がステンレス鋼板を湾曲させたものであるため、楽器部品１０の製造にかかるコストを抑制することができ、楽器部品１０を比較的安価に提供することが可能となる。これにより、高価なリガチャーを購入しなくても、既存のリガチャーとリードとの間に安価な本楽器部品１０を介在させるだけで、音を出し易くすることができるため、演奏にかかるコストを抑制させることができると共に、初心者でも気軽に演奏を楽しむことが可能となる。
【００２６】
以上、本考案について好適な実施形態を挙げて説明したが、本考案は上記の実施形態に限定するものではなく、本考案の要旨を逸脱しない範囲において、種々の改良及び設計の変更が可能である。
【００２７】
例えば、上記では、楽器部品１０を、ＳＵＳ３０４のステンレス鋼板で形成したものを示したが、これに限定するものではなく、ステンレス鋼板としてＳＵＳ３０３、ＳＵＳ３１６、ＳＵＳ４１０、ＳＵＳ４３０、などにより形成しても良い。
【００２８】
また、上記では、二辺の長さが３０ｍｍ×３０ｍｍとした楽器部品１０を示したが、これに限定するものではなく、３４ｍｍ×３４ｍｍ、３０ｍｍ×３７ｍｍ、のように、一辺の長さが２５ｍｍ〜４０ｍｍの範囲内であれば、正方形でも長方形でも良い。
【００２９】
また、上記では、シングルリード楽器１として、アルトサクソフォンを示したが、これに限定するものではなく、ソプラノソクサフォン、テナーサクソフォン、バリトンサクソフォン、のようなその他のサクソフォン、Ｂ♭／Ａクラリネット、バスクラリネット、アルトクラリネット、ドイツクラリネット、のようなクラリネット、としても良い。
【符号の説明】
【００３０】
１  シングルリード楽器
２  マウスピース
２ａ  当接部
３  リード
３ａ  ヒール部
３ｂ  カット部
４  リガチャー
４ａ  ベルト
４ｂ  筒部
４ｃ  ナット部
４ｄ  ネジ
１０  楽器部品
【図１】
0003225891.tif 000003
【図２】
0003225891.tif 000004
【図３】
0003225891.tif 000005
【図４】
0003225891.tif 000006